(57)【要約】【課題】一足の靴下を、需用者の購買意欲を惹起させる態様に装飾させながら接続させ合わせる。【解決手段】二枚重ねにした左右靴下Ｓ、Ｓを、そのはき口Ｓａ側からそのつま先部Ｓｃが中心に位置されるように丸め込んで果物や野菜などの実のようにした状態において、接続させ合わせ且つ装飾する構造である。果物や野菜などの実の柄状の部分を模した軸体１を有し、この軸体１の一端部１ｄと、前記左右靴下Ｓ、Ｓのつま先部Ｓｃとに、一端側に頭部２ａを備え他端側をＴバー部２ｂとした可撓性を持ったプラスチック製のタグピン状体２を打ち込んで両者を止め合わせてなる。【選択図】図３
2008062982.tif 000002
【特許請求の範囲】
【請求項１】
内外二枚重ねにした左右靴下を、そのはき口側からそのつま先部が中心に位置されるように丸め込んで果物や野菜などの実のようにした状態において、接続させ合わせ且つ装飾する構造であって、
果物や野菜などの実の柄状の部分を模した軸体を有し、この軸体の一端部と、前記左右靴下のつま先部とに、
一端側に頭部を備え他端側をＴバー部とした可撓性を持ったプラスチック製のタグピン状体を打ち込んで両者を止め合わせてなることを特徴とする靴下の装飾構造。
【請求項２】
タグピン状体のＴバー部の座板を有していることを特徴とする請求項１記載の靴下の装飾構造。
【発明の詳細な説明】
【技術分野】
【０００１】
この発明は、一足の靴下、すなわち、左右靴下を、需用者の購買意欲を惹起させる態様に装飾させながら接続させ合わせる装飾構造に関する。
【背景技術】
【０００２】
一足の靴下は、通例、そのはき口側でタグピンなどにより止め合わされて販売されている。靴下は通例、この種のタグピンに付けられるタグに形成されたフック部などによって吊り下げ状に陳列されたり、折りたたまれて棚上に載せ置かれて陳列されるが、その際において靴下の形状には格別の工夫は加えられていない。
【発明の開示】
【発明が解決しようとする課題】
【０００３】
この発明が解決しようとする主たる問題点は、一足の靴下を、需用者の購買意欲を惹起させる態様に装飾させながら接続させ合わせるようにする点にある。
【課題を解決するための手段】
【０００４】
前記課題を達成するために、この発明にあっては、靴下の装飾構造を、二枚重ねにした左右靴下を、そのはき口側からそのつま先部が中心に位置されるように丸め込んで果物や野菜などの実のようにした状態において、接続させ合わせ且つ装飾する構造であって、
果物や野菜などの実の柄状の部分を模した軸体を有し、この軸体の一端部と、前記左右靴下のつま先部とに、
一端側に頭部を備え他端側をＴバー部とした可撓性を持ったプラスチック製のタグピン状体を打ち込んで両者を止め合わせてなるものとした。
【０００５】
このようにした場合、二枚重ねにした左右靴下をタグピン状体によって接続させ合わしながら、前記実のように丸め込まれた左右靴下の中央部にこの実の柄状の部分を模した軸体をタグピン状体によって位置づけさせることができる。これにより、販売時に前記実のような外観を持たせながら左右靴下を支障なく一体化させておくことができる。軸体は丸め込まれた靴下の中央にその一端部を押し込ませたような状態で保持される。購入後は、需用者において、タグピン状体のＴバー部あるいは頭部を鋏などで切除するなどすることにより、靴下と軸体とを分離させると共に左右靴下を分離させて左右靴下をそれぞれ靴下としての使用の用に供し可能な状態にすることができる。
【０００６】
前記タグピン状体のＴバー部の座板をさらに設けさせておけば、靴下のつま先部側にＴバー部を掛合させるようにしていても靴下の生地からＴバー部を外れ難くすることができる。
【発明の効果】
【０００７】
この発明にかかる靴下の装飾構造によれば、左右靴下を、需用者の購買意欲を惹起させる態様に装飾させながら、少なくともその販売時において合理的に接続させ合わせることができる。
【発明を実施するための最良の形態】
【０００８】
以下、図１〜図４に基づいて、この発明を実施するための最良の形態について説明する。
【０００９】
なお、ここで図１は、この発明を適用して構成された靴下Ｓの装飾構造を構成する各部材を分離させた状態として、図２は、内外二枚重ねにした一足の靴下Ｓ、Ｓを丸め込んだ状態でその中心が広くなるようにこれを広げるようにしてそのつま先部Ｓｃに軸体１を取り付けさせた状態を、図３および図４は、図２の状態から丸め込んだ靴下Ｓを広げた状態を止めてこの靴下Ｓを果物などの実のような外観に整えた状態をそれぞれ示している。
【００１０】
この実施の形態にかかる靴下Ｓの装飾構造は、左右靴下Ｓを、需用者の購買意欲を惹起させる態様に装飾させながら、少なくともその販売時において合理的に接続させ合わせるものである。より具体的には、かかる靴下Ｓの装飾構造は、左右靴下Ｓ、Ｓを、需用者の趣味感などに訴える態様で、容易に分離可能な状態で接続させ合わせるものである。
【００１１】
すなわち、かかる靴下Ｓの装飾構造は、内外二枚重ねにした左右靴下Ｓ、Ｓを、そのはき口Ｓａ側からそのつま先部Ｓｃが中心に位置されるように丸め込んで果物や野菜などの実のようにした状態において、接続させ合わせ且つ装飾する構造である。
【００１２】
左右靴下Ｓ、Ｓは、左の靴下Ｓの内側に右の靴下Ｓを入れ込ませ、あるいはまた、右の靴下Ｓの内側に左の靴下Ｓを入れ込ませて、内外の二枚重ねにされる。そして、このように二枚重ねにされた左右靴下Ｓ、Ｓが前記実のような形に丸められる。すなわち、はき口Ｓａ側からそのはき口縁Ｓｂがもっとも内側に位置されるように順次に二枚重ねにされた靴下Ｓ、Ｓの外側が内側に入り込んでゆくようにこの二枚重ねにした靴下Ｓを丸め込んでゆくことで靴下Ｓのはき口Ｓａとつま先部Ｓｃとは次第に近づき最終的にはこのつま先部Ｓｃを中心に位置させるようにして二枚重ねにした靴下Ｓ、Ｓは略球状に丸め込まれる。（図１から図２）これとは逆に、順次に二枚重ねにされた靴下Ｓ、Ｓの内側が外側に表れてゆくようにこの二枚重ねにした靴下Ｓを丸め込んでゆくことで靴下Ｓを略球状に丸め込むこともできる。
【００１３】
例えば靴下Ｓが赤い編み生地よりなるときはこのように丸められた靴下Ｓからトマトや赤リンゴなどの実をイメージさせることができる。また、例えば靴下Ｓが黄色の編み生地よりなるときはこのように丸められた靴下Ｓから蜜柑や黄色のパプリカなどの実をイメージさせることができる。また、例えば靴下Ｓが緑色の編み生地よりなるときはこのように丸められた靴下Ｓから青リンゴやかぼちゃなどの実をイメージさせることができる。また、例えば靴下Ｓが桃色の編み生地よりなるときはこのように丸められた靴下Ｓから桃などの実をイメージさせることができる。
【００１４】
かかる装飾構造は、このように丸められた靴下Ｓからイメージされる果物や野菜などの実の柄状の部分を模した軸体１を有している。図示の例では、細長く折り込み、あるいは、丸め込んだ紙の外側に緑色の毛糸１ｂなどを巻き付けてこのような柄状をなす軸体１を構成させている。もっとも、かかる軸体１は、後述するタグピン状体２が打ち込み可能な材質のもので、かつ、かかる柄状のものと認識されるものであれば良く、色彩を付した厚手の紙やプラスチックなどから構成させることもできる。図示の例では、軸体１にはその他端側に特にフェルト製の葉を模した飾り１ｃが備え付けられている。
【００１５】
そして、かかる装飾構造にあっては、このように構成される軸体１の一端部１ｄと、前記左右靴下Ｓ、Ｓのつま先部Ｓｃとに、一端側に頭部２ａを備え他端側をＴバー部２ｂとした可撓性を持ったプラスチック製のタグピン状体２をタグガンなどにより打ち込んで両者を止め合わせている。
【００１６】
かかる打ち込みは、典型的には、左右靴下Ｓ、Ｓを重ね合わせて前記のように丸め込んだ後になされるが、可能であればこの丸め込みをなす前になしても構わない。
【００１７】
タグピン状体２は、軸体１を貫通して二枚重ねにした左右靴下Ｓ、Ｓのつま先部Ｓｃの一面側から入り込み他面側に抜け、その頭部２ａとＴバー部２ｂとで両者を止め合わせる。図示の例では、タグピン状体２の打ち込み側が軸体１側であり、したがってその頭部２ａが軸体１側に位置され、Ｔバー部２ｂが前記つま先部Ｓｃの他面側に位置されるようになっている。タグピン状体２は、縦線状部２ｃの一端部につまみ状の頭部２ａを有し、かつ、他端部にこの縦線状部２ｃに対し略直交するように接合された横線状部２ｄを有しており、この横線状部２ｄによってＴバー部２ｂを形成させている。前記打ち込みの過程において横線状部２ｄを縦線状部２ｃに重なり合わせるようにＴバー部２ｂは弾性変形され、この打ち込みが終了するとこのＴバー部２ｂの弾性復帰によってタグピン状体２の打ち込み先側にＴバー部２ｂは掛合される。なお、図示の例では、かかるタグピン状体２が打ち込まれる軸体１における一端部１ｄには毛糸１ｂなどが巻き付けられていない。
【００１８】
かかる装飾構造によれば、二枚重ねにした左右靴下Ｓ、Ｓをタグピン状体２によって接続させ合わしながら、前記実のように丸め込まれた左右靴下Ｓ、Ｓの中央部にこの実の柄状の部分を模した軸体１をタグピン状体２によって位置づけさせることができる。軸体１は丸め込まれた靴下Ｓの中央にその一端部を押し込ませたような状態で保持される。図示の例では、このように保持されて外側に突き出す軸体１の他端部に前記葉を模した飾り１ｃが位置されるようになっている。これにより、販売時に前記実のような外観を持たせながら左右靴下Ｓ、Ｓを支障なく一体化させておくことができる。購入後は、需用者において、タグピン状体２のＴバー部２ｂあるいは頭部２ａを鋏などで切除するなどすることにより、靴下Ｓと軸体１とを分離させると共に左右靴下Ｓ、Ｓを分離させて左右靴下Ｓ、Ｓをそれぞれ靴下Ｓとしての使用の用に供し可能な状態にすることができる。
【００１９】
図示の例では、タグピン状体２のＴバー部２ｂの座板３がさらに設けられている。図示の例では、略円形の紙製の座板３をタグピン状体２の打ち込み先側に添装させた状態でタグピン状体２を打ち込ませている。これにより、靴下Ｓのつま先部Ｓｃ側にＴバー部２ｂを掛合させるようにしていても靴下Ｓの生地からＴバー部２ｂが外れ難くなっている。
【図面の簡単な説明】
【００２０】
【図１】装飾構造の構成部材の分離斜視図
【図２】同断面構成図
【図３】同断面構成図
【図４】同断面構成図
【符号の説明】
【００２１】
Ｓ  靴下
Ｓａ  はき口
Ｓｃ  つま先部
１  軸体
１ｄ  一端部
２  タグピン状体
２ａ  頭部
２ｂ  Ｔバー部
【図１】
2008062982.tif 000003
【図２】
2008062982.tif 000004
【図３】
2008062982.tif 000005
【図４】
2008062982.tif 000006